(57)【要約】【課題】  充電時における操作の利便性を向上すること。【解決手段】  携帯電話機は、充電台から電力の供給を受ける第１受電部と、第１タッチパネルと、複数の機能の少なくとも１つを実行する機能実行部と、情報を表示するための第１ＬＣＤと、機能実行部が機能を実行して出力する出力画像または機能を実行するために操作を受け付けるための入力画像を第１ＬＣＤに表示する第１表示制御部と、充電台と通信するための第１通信部と、を備え、第１表示制御部は、第１通信部が充電台と通信可能でないときは、第１ＬＣＤに第１の画面を表示し（Ｓ０１）、第１通信部が充電台と通信可能なときは（Ｓ０４でＹＥＳ）、第１ＬＣＤに第２の画面を表示する（Ｓ１５）とともに、第１通信部を介して充電台に第３の画面を送信し（Ｓ１６）、充電台にそれが備える第ＬＣＤに第３の画面を表示させる。【選択図】        図１２
2010109481.tif 000002
【特許請求の範囲】
【請求項１】
携帯通信装置と、前記携帯通信装置を充電するための充電装置と、を備えた携帯通信装置の充電システムであって、
前記携帯通信装置は、前記充電装置から電力の供給を受ける第１受電手段と、
ユーザによる第１の操作を受け付けるための第１操作受付手段と、
複数の機能の少なくとも１つを実行する機能実行手段と、
情報を表示するための第１表示手段と、
前記機能実行手段が機能を実行して出力する出力画像または機能を実行するために操作を受け付けるための操作受付画像を前記第１表示手段に表示する第１表示制御手段と、
前記充電装置と通信するための第１通信手段と、を備え、
前記充電装置は、外部から電力を受け付ける第２受電手段と、
前記受け付けられた電力の少なくとも一部を前記通信装置に供給する電力供給手段と、
画像を表示する第２表示手段と、
前記携帯通信装置と通信するための第２通信手段と、
前記第２表示手段による画像の表示を制御する第２表示制御手段と、を備え、
前記第１表示制御手段は、前記第１通信手段が前記充電装置と通信可能でないときは、前記第１表示手段に前記実行機能に対応して予め定められた第１の画像を表示し、前記第１通信手段が前記充電装置と通信可能なときは、前記第１表示手段に前記複数の機能のうち前記機能実行手段により実行されている実行機能に対応して予め定められた第２の画像を表示するとともに、前記第１通信手段を介して前記第２表示制御手段に前記実行機能に対応して予め定められた第３の画像を送信し、
前記第２表示制御手段は、前記第２通信手段により受信される前記第３の画像を前記第２表示手段に表示する、携帯通信装置の充電システム。
【請求項２】
前記充電装置は、ユーザによる第２の操作を受け付けるための第２操作受付手段を備え、
前記第２操作受付手段は、前記第２の操作を受け付けると、該第２の操作を前記第２通信手段を介して前記携帯通信装置に送信し、
前記機能実行手段は、前記第１通信手段により前記充電装置から前記第２の操作が受信される場合、該受信された第２の操作に従って、前記複数の機能のいずれかを実行する、請求項１に記載の携帯通信装置の充電システム。
【請求項３】
前記第３の画像は、前記第２操作受付手段による操作を受け付けるための操作受付画像を含む、請求項２に記載の携帯通信装置の充電システム。
【請求項４】
前記携帯通信装置は、前記充電装置と複数の接続形態で接続可能であり、
前記充電装置と接続される接続形態を前記複数の接続形態のうちから検出する接続形態検出手段を、さらに備え、
前記第１表示制御手段は、複数の操作受付画像のうちから前記検出された接続形態に対応して予め定められた操作受付画像を選択し、該選択された操作受付画像を前記第１通信手段を介して前記第２表示制御手段に送信する、請求項３に記載の携帯通信装置の充電システム。
【請求項５】
前記機能実行手段は、前記第１通信手段が前記充電装置と通信可能なときは、前記複数の機能のうち第１の機能と第２の機能とを並列で実行可能であり、
前記第１の表示制御手段は、前記第１通信手段が前記充電装置と通信可能であり、かつ、前記機能実行手段が前記第１の機能と前記第２の機能とを並列で実行するときは、前記第１表示手段に前記第１の機能に対応して予め定められた第１の画像を表示するとともに、前記第１通信手段を介して前記第２の機能に対応して予め定められた第１の画像を送信し、
前記機能実行手段は、前記第１操作受付手段により受け付けられる前記第１の操作に従がって前記第１の機能を実行し、前記第１通信手段により前記充電装置から受信される前記第２の操作に従って前記第２の機能を実行する、請求項２に記載の携帯通信装置の充電システム。
【発明の詳細な説明】
【技術分野】
【０００１】
この発明は、携帯通信装置の充電システムに関し、特に、携帯通信装置と充電装置とを含む携帯通信装置の充電システムに関する。
【背景技術】
【０００２】
携帯電話機で代表される携帯通信端末は、駆動源にリチウムイオン電池やニッケル水素電池等の二次電池が用いられるため、二次電池を充電する必要がある。通常は、商用電源に接続された充電台に搭載されることにより、充電台から電力の供給を受けて二次電池を充電する。
【０００３】
特開２００２−０５７７５２号公報には、充電台内の台詞メッセージ制御部は充電台に携帯端末機が置かれたことを検出すると、携帯端末機から読み取った送受信ログデータを含む各種パラメータをもとに、充電台内のメモリ部に記憶されている少なくとも１つ以上のＰＣＭ台詞メッセージデータの中から、その日若しくはその時の状況に最適なＰＣＭ台詞メッセージデータを選択して携帯端末機の制御部に転送し、アナログ音声に変換して携帯端末機に備えられているスピーカによって再生する携帯端末機が記載されている。
【０００４】
この携帯端末機は、充電台がメッセージを携帯端末機に送信するので、携帯端末機は充電台に置かれたときにのみメッセージをスピーカから出力するが、携帯端末機が充電台に置かれた状態で、ユーザが携帯端末機を操作することができないといった問題がある。
【特許文献１】特開２００２−０５７７５２号公報
【発明の開示】
【発明が解決しようとする課題】
【０００５】
この発明は上述した問題点を解決するためになされたもので、この発明の目的の一つは、充電時における操作の利便性を向上した携帯通信装置の充電システムを提供することである。
【課題を解決するための手段】
【０００６】
上述した目的を達成するためにこの発明のある局面によれば、充電システムは、携帯通信装置と、携帯通信装置を充電するための充電装置と、を備えた携帯通信装置の充電システムであって、携帯通信装置は、充電装置から電力の供給を受ける第１受電手段と、ユーザによる第１の操作を受け付けるための第１操作受付手段と、複数の機能の少なくとも１つを実行する機能実行手段と、情報を表示するための第１表示手段と、機能実行手段が機能を実行して出力する出力画像または機能を実行するために操作を受け付けるための操作受付画像を第１表示手段に表示する第１表示制御手段と、充電装置と通信するための第１通信手段と、を備え、充電装置は、外部から電力を受け付ける第２受電手段と、受け付けられた電力の少なくとも一部を通信装置に供給する電力供給手段と、画像を表示する第２表示手段と、携帯通信装置と通信するための第２通信手段と、第２表示手段による画像の表示を制御する第２表示制御手段と、を備え、第１表示制御手段は、第１通信手段が充電装置と通信可能でないときは、第１表示手段に実行機能に対応して予め定められた第１の画像を表示し、第１通信手段が充電装置と通信可能なときは、第１表示手段に複数の機能のうち機能実行手段により実行されている実行機能に対応して予め定められた第２の画像を表示するとともに、第１通信手段を介して第２表示制御手段に実行機能に対応して予め定められた第３の画像を送信し、第２表示制御手段は、第２通信手段により受信される第３の画像を第２表示手段に表示する。
【０００７】
この局面に従えば、携帯通信装置と充電装置とが通信可能に接続されていないときは、携帯通信装置は実行機能に対応して予め定められた第１の画像を表示し、携帯通信装置と充電装置とが通信可能に接続されているときは、携帯通信装置は実行機能に対応して予め定められた第２の画像を表示し、充電装置は実行機能に対応して予め定められた第３の画像を表示する。このため、携帯通信装置がある機能を実行する場合に、携帯通信装置が充電装置と通信可能に接続される場合と、充電装置と通信可能に接続されない場合とで、表示する画像を異ならせることができる。携帯通信装置が充電装置と通信可能に接続される場合は、充電装置と通信可能に接続されない場合よりも画像を表示する面積を大きくすることができる。その結果、充電時の利便性を向上した携帯通信装置の充電システムを提供することができる。
【０００８】
好ましくは、充電装置は、ユーザによる第２の操作を受け付けるための第２操作受付手段を備え、第２操作受付手段は、第２の操作を受け付けると、該第２の操作を第２通信手段を介して携帯通信装置に送信し、機能実行手段は、第１通信手段により充電装置から第２の操作が受信される場合、該受信された第２の操作に従って、複数の機能のいずれかを実行する。
【０００９】
この局面に従えば、充電装置によってユーザによる第２の操作が受け付けられると、携帯通信装置によって、第２の操作に従って、複数の機能のいずれかが実行される。このため、充電装置を携帯通信装置に操作を入力するための装置とすることができる。
【００１０】
好ましくは、第３の画像は、第２操作受付手段による操作を受け付けるための操作受付画像を含む。
【００１１】
この局面に従えば、操作受付画像を変更することができるので、充電装置によって種々の操作を受け付けることが可能となる。
【００１２】
好ましくは、携帯通信装置は、充電装置と複数の接続形態で接続可能であり、充電装置と接続される接続形態を複数の接続形態のうちから検出する接続形態検出手段を、さらに備え、第１表示制御手段は、複数の操作受付画像のうちから検出された接続形態に対応して予め定められた操作受付画像を選択し、該選択された操作受付画像を第１通信手段を介して第２表示制御手段に送信する。
【００１３】
この局面に従えば、複数の操作受付画像のうち携帯通信装置が充電装置と接続される接続形態に対応して予め定められた操作受付画像が、充電装置に表示されるので、操作が容易な操作受付画像を表示することができる。
【００１４】
好ましくは、機能実行手段は、第１通信手段が充電装置と通信可能なときは、複数の機能のうち第１の機能と第２の機能とを並列で実行可能であり、第１の表示制御手段は、第１通信手段が充電装置と通信可能であり、かつ、機能実行手段が第１の機能と第２の機能とを並列で実行するときは、第１表示手段に第１の機能に対応して予め定められた第１の画像を表示するとともに、第１通信手段を介して第２の機能に対応して予め定められた第１の画像を送信し、機能実行手段は、第１操作受付手段により受け付けられる第１の操作に従がって第１の機能を実行し、第１通信手段により充電装置から受信される第２の操作に従って第２の機能を実行する。
【００１５】
この局面に従えば、携帯通信装置が、第１の機能と第２の機能を並列で実行する場合、携帯通信装置によって第１の機能に対応する画像を表示するとともに操作を受け付け、充電装置によって第２の機能に対応する画像を表示するとともに操作を受け付ける。このため、携帯通信端末が２つの機能を並列で実行する場合の操作が容易となる。
【発明を実施するための最良の形態】
【００１６】
以下、本発明の実施の形態について図面を参照して説明する。以下の説明では同一の部品には同一の符号を付してある。それらの名称および機能も同じである。したがってそれらについての詳細な説明は繰返さない。
【００１７】
図１は、本発明の実施の形態の一つにおける携帯電話機の充電システムの外観を示す斜視図である。図１を参照して、携帯電話機の充電システム１は、携帯電話機１００と、充電台２００とで構成される。図１においては、携帯電話機１００が充電台２００に第１の接続形態で接続された状態を示している。携帯電話機１００は、略直方体であり、第１液晶表示装置（ＬＣＤ）１２３と、第１タッチパネル１２５と、マイクロホン１０７と、レシーバとしてのスピーカ１０９と、が正面に配置され、電源キー１２７が側面に配置される。第１タッチパネル１２５は、透明な部材からなり、第１ＬＣＤ１２３に重畳して設けられる。
【００１８】
充電台２００は、略直方体であり、第２液晶表示装置（ＬＣＤ）２０７と、第２タッチパネル２１１とが上面に配置され、それらの周囲の上面に溝２５１が形成されている。携帯電話機１００は、その一部が充電台２００が有する溝２５１の一部と係合することにより、携帯電話機１００が充電台２００と接続される。第２タッチパネル２１１は、透明な部材からなり、第２ＬＣＤ２０７に重畳して設けられる。
【００１９】
第１タッチパネル１２５および第２タッチパネル２１１は、圧力の変化を感知する感圧式であってもよいし、静電気による電気信号を感知する静電式であってもよい。ここでは静電式を用いている。第１タッチパネル１２５を静電式とする場合、第１ＬＣＤ１２３の裏面側に配置してもよい。また、第２タッチパネル２１１を静電式とする場合、第２ＬＣＤ２０７の裏面側に配置することができる。なお、第１ＬＣＤ１２３および第２ＬＣＤ２０７は、文字または図形の画像を表示可能な表示装置であればよく、例えば、有機ＥＬ（Ｅｌｅｃｔｒｏ  Ｌｕｍｉｎｅｓｃｅｎｃｅ）ディスプレイであってもよい。
【００２０】
携帯電話機１００と充電台２００とは、複数の接続形態で接続することが可能であり、図１に示す第１の接続形態は、携帯電話機１００の短手方向の一方の側面側の一部が、充電台の短手方向の一方の溝２５１と係合することにより、携帯電話機１００が充電台２００と接続される形態である。
【００２１】
図２は、携帯電話機と充電台とを第２の接続形態で接続した携帯電話機の充電システムの概観を示す斜視図である。図２を参照して、第２の接続形態は、携帯電話機１００の長手方向の一方の側面側の一部が、充電台の短手方向の一方の溝２５１と係合することにより、携帯電話機１００が充電台２００と接続される形態である。
【００２２】
図３は、携帯電話機と充電台とを第３の接続形態で接続した携帯電話機の充電システムの概観を示す斜視図である。図３を参照して、第３の接続形態は、携帯電話機１００の長手方向の一方の側面側の一部が、充電台の長手方向の一方の溝２５１と係合することにより、携帯電話機１００が充電台２００と接続される形態である。
【００２３】
図４は、携帯電話機と充電台とを第４の接続形態で接続した携帯電話機の充電システムの概観を示す斜視図である。図４を参照して、第４の接続形態は、携帯電話機１００の短手方向の一方の側面側の一部が、充電台の長手方向の一方の溝２５１の一部と係合することにより、携帯電話機１００が充電台２００と接続される形態である。
【００２４】
なお、ここでは、携帯電話機１００の一部が充電台２００が備える溝２５１の一部と係合することにより、携帯電話機１００が充電台２００に接続される例を示したが、充電台２００に携帯電話機１００を固定することができれば、例えば、充電台２００に溝２５１を設けることなくフックなどを用いて接続してもよく、充電台２００に溝２５１を設けて携帯電話機１００と充電台２００とを接続する接続方法に限定するものではない。
【００２５】
図５は、携帯電話機の機能の概要を示すブロック図である。図５を参照して、携帯電話機１００は、携帯電話機１００の全体を制御するための第１制御部１０１と、アンテナ１０３Ａと接続された無線回路１０３と、音声データを処理するためのコーデック部１０５と、それぞれがコーデック部１０５に接続されたマイクロホン１０７およびスピーカ１０９と、第１制御部１０１で実行するプログラムまたはプログラムが参照するデータ等を不揮発的に記憶するためのＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１１１と、第１制御部１０１の作業領域として使用されるＲＡＭ（Ｒａｎｄｏｍ  Ａｃｃｅｓｓ  Ｍｅｍｏｒｙ）１１３と、カードインターフェース（Ｉ／Ｆ）１１５と、充電台２００と通信するための第１通信部１２１と、第１ＬＣＤ１２３と、ユーザの操作の入力を受付ける第１タッチパネル１２５および電源キー１２７と、加速度センサ１２９と、電源制御部１３１とを含む。
【００２６】
無線回路１０３は、第１制御部１０１により制御され、無線基地局と通信する。具体的には、アンテナ１０３Ａにより受信された無線信号が入力され、無線信号を復調した音声信号をコーデック部１０５に出力する。また、無線回路１０３は、コーデック部１０５から音声信号が入力され、音声信号を変調した無線信号をアンテナ１０３Ａに出力する。コーデック部１０５は、無線回路１０３から入力される音声信号を復号し、復号したデジタルの音声信号をアナログに変換し、増幅し、そしてスピーカ１０９に出力する。また、コーデック部１０５は、マイクロホン１０７からアナログの音声信号が入力され、音声信号をデジタルに変換し、符号化し、そして符号化した音声信号を無線回路１０３に出力する。
【００２７】
カードＩ／Ｆ１１５には、着脱可能なメモリカード１１７が装着される。第１制御部１０１は、カードＩ／Ｆ１１５を介して、メモリカード１１７にアクセスが可能である。なお、ここでは第１制御部１０１で実行するためのプログラムをＥＥＰＲＯＭ１１１に記憶しておく例を説明するが、プログラムをメモリカード１１７に記憶しておき、メモリカード１１７からプログラムを読み出して、第１制御部１０１で実行するようにしてもよい。プログラムを記憶する記録媒体としては、メモリカード１１７に限らず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ、ＥＥＰＲＯＭなどの半導体メモリ等でもよい。また、携帯電話機１００をインターネットに無線回路１０３を介して接続し、インターネットに接続されたコンピュータからプログラムをダウンロードして、第１制御部１０１で実行するようにしてもよい。ここでいうプログラムは、第１制御部１０１により直接実行可能なプログラムだけでなく、ソースプログラム、圧縮処理されたプログラム、暗号化されたプログラム等を含む。
【００２８】
電源制御部１３１は、充電台から電力の供給を受ける第１受電部１３９と、携帯電話機１００の各負荷に蓄積した電力を供給するための二次電池１３５と、二次電池１３５と第１受電部１３９との間に設けられた充電回路１３７と、電圧検出部１３３とを含む。第１受電部１３９は、後述する充電台２００が備える電力供給部２１５（図８参照９）から放出される電磁波を受信し、電磁誘導により発生する電流を充電回路１３７に出力する。なお、ここでは、充電台２００から電力となる電磁波を受信する例を示すが、第１受電部１３９を、充電台２００が備える出力端子と電気的に接続される入力端子としてもよい。
【００２９】
二次電池１３５は、リチウムポリマ電池、ニッケル水素電池またはニッカド電池等であり、電荷を蓄積する。充電回路１３７は、第１制御部１０１により制御され、第１受電部１３９が出力する電流を、二次電池１３５に出力するオン状態と、二次電池１３５に出力しないオフ状態とを切り換える。電圧検出部１３３は、二次電池１３５の出力電圧を検出し、検出した出力電圧を第１制御部１０１に出力する。
【００３０】
第１通信部１２１は、充電台２００と無線で通信する。通信方式は、電磁波を用いた通信であってもよいし、赤外線を用いた通信であってもよい。また、近距離で通信可能となる通信方式が好ましい。携帯電話機１００が充電台２００と接続されたときに通信可能となれば十分だからである。なお、携帯電話機１００を充電台２００と電気的に接続するようにして、第１通信部１２１が充電台２００と有線で通信するようにしてもよい。
【００３１】
加速度センサ１２９は、互いに直交するＸ軸、Ｙ軸およびＺ軸それぞれの加速度を検出し、検出した加速度を第１制御部１０１に出力する。加速度センサ１２９が検出する加速度は、Ｘ軸、Ｙ軸およびＺ軸としたが、互いに交わる３方向であればよく、また、４方向以上であってもよい。
【００３２】
第１制御部１０１は、第１通信部１２１を制御するための第１通信制御部１５３と、第１ＬＣＤ１２３の表示を制御するための第１表示制御部１５５と、複数の機能の少なくとも１つを実行する機能実行部１５１と、ユーザによる操作を受け付ける第１操作受付部１５７と、充電台２００との接続形態を検出する接続形態検出部１５９と、を含む。
【００３３】
機能実行部１５１は、携帯電話機１００が実行可能な複数の機能を実行する。複数の機能は、例えば、電子メール編集機能、電子メール閲覧機能、電子メール送受信機能、通話機能、電話帳編集機能、インターネットのＷｅｂページを閲覧するためのブラウザ機能、カレンダー表示機能、スケジュール管理機能、テレビジョン放送閲覧機能、などを含む。なお、機能実行部１５１が実行可能な機能は、上記機能に限定されることはなく、また、第１制御部１０１が実行するためのアプリケーションプログラムを追加することによって、追加することができる。
【００３４】
第１操作受付部１５７は、第１タッチパネル１２５および電源キー１２７が接続され、第１タッチパネル１２５または電源キー１２７に入力されるユーザによる操作を受け付ける。第１操作受付部１５７は、第１タッチパネル１２５または電源キー１２７から受け付けた操作を機能実行部１５１に出力する。機能実行部１５１は、第１操作受付部１５７から入力される操作にしたがって、複数の機能のうちから少なくとも１つを決定し、実行する。
【００３５】
第１通信制御部１５３は、第１通信部１２１を制御する。第１通信制御部１５３は、第１通信部１２１が充電台２００と通信可能になると、第１表示制御部１５５に充電台２００と通信可能であることを示す信号を出力し、第１通信部１２１が充電台２００と通信可能でなければ充電台２００と通信不可能であることを示す信号を出力する。また、第１通信制御部１５３は、充電台２００と通信する第１通信部１２１が充電台２００から機能実行部１５１に与える操作を示す信号を受信すると、その信号で特定される操作を機能実行部１５１に出力する。機能実行部１５１は、第１通信制御部１５３から入力される操作にしたがって、複数の機能の少なくとも１つを決定し、実行する。したがって、機能実行部１５１は、第１操作受付部１５７または第1通信制御部１５３から入力される操作に従って機能を実行する。また、第１通信制御部１５３は、第１通信部１２１が充電台２００から接続位置を受信すると、受信された接続位置を接続形態検出部１５９に出力する。接続位置については、後述するが充電台２００が有する溝２５１の４辺のいずれであるかを示す情報である。
【００３６】
接続形態検出部１５９は、加速度センサ１２９と接続され、３軸方向それぞれの加速度が変化しなくなった時点の３軸方向の加速度に基づいて、携帯電話機１００の姿勢を検出する。また、接続形態検出部１５９は、第１通信制御部１５３から入力される接続位置と、検出された携帯電話機１００の姿勢とから携帯電話機１００と充電台２００との接続形態が、第１〜第４の接続形態のいずれであるかを決定する。そして、第１〜第４の接続形態のうち決定された接続形態を第１表示制御部１５５に出力する。
【００３７】
第１表示制御部１５５は、機能実行部１５１が実行可能な複数の機能それぞれに対して、第１の種類の第１画像である第１画面と、第２の種類の第２画像である第２画面と、第３の種類の第３画像である第３画面とを予め記憶している。第１画面、第２画面および第３画面は、第１ＬＣＤ１２３または第２ＬＣＤ２０７それぞれが表示可能な画像であり、第１ＬＣＤ１２３または第２ＬＣＤ２０７それぞれの表示面と同じサイズの画像であってもよいし、それらの表示面より小さいサイズの画像であってもよい。第１表示制御部１５５は、第１通信制御部１５３が出力する充電台２００と通信可能か否かを示す信号に基づいて、第１〜第３画面のいずれを表示するかを決定する。具体的には、第１表示制御部１５５は、第１通信制御部１５３から充電台と通信可能でないことを示す信号が入力される場合、第１ＬＣＤ１２３に表示する画像として第１画面を選択し、第１通信制御部１５３から充電台２００と通信可能であることを示す信号が入力される場合、第１ＬＣＤ１２３に表示する画像として第１画面を選択するとともに、第２ＬＣＤ２０７に表示する画像として第２画面を選択する。第１表示制御部１５５は、第１画面を選択する場合、第１ＬＣＤ１２３に第１画面を表示する。また、第１表示制御部１５５は、第２画面および第３画面を選択する場合、第１ＬＣＤ１２３に第２画面を表示するとともに、第２ＬＣＤ２０７に第３画面を表示するために第３画面を第１通信制御部１５３に出力する。第１通信制御部１５３は、第１表示制御部１５５から第３画面が入力されると、通信部１２１を制御をして第３画面を充電台２００に送信する。
【００３８】
第３画面は、ユーザによる操作を受け付けるための複数種類の操作受付画面を含む。具体的には、複数種類の操作受付画面は、テンキーが配列されたテンキー型操作受付画面と、それぞれにアルファベットの１文字が割り当てられた複数のキーがＱＷＥＲＴＹ配列されたアルファベット型操作受付画面とを含む。なお、アルファベット型操作受付画面は、キー配列がＱＷＥＲＴＹ配列に限定されることなく、ＤＶＯＲＡＫ配列であってもよい。
【００３９】
第１表示制御部１５５は、接続形態検出部１５９から接続形態が入力される。第１表示制御部１５５は、第２画面および第３画面を選択する場合であって、第３画面に操作受付画面を選択する場合において、接続形態検出部１５９から第１接続形態または第２接続形態が入力される場合、第３画面としてテンキー型操作受付画面を第１通信制御部１５３に出力し、接続形態検出部１５９から第３接続形態または第４接続形態が入力される場合、第３画面としてＱＷＥＲＴＹ型操作受付画面を第１通信制御部１５３に出力する。
【００４０】
図１に示した第１接続形態または図２に示した第２接続形態においては、充電台がユーザに対して縦長に配置される。このため、ＱＷＥＲＴＹ型操作受付画面を表示することができないので、テンキー型操作受付画面を充電台２００に表示する。一方、図３に示した第３接続形態または図４に示した第４接続形態においては、充電台がユーザに対して横長に配置される。このため、ＱＷＥＲＴＹ型操作受付画面を表示することができるので、文字の入力が容易なキー配列のＱＷＥＲＴＹ型操作受付画面を充電台２００に表示する。
【００４１】
図６は、テンキー型操作受付画面の一例を示す図である。図７を参照して、ＱＷＥＲＴＹ型操作受付画面は、それぞれに３または４つのアルファベットが割り当てられた８つのキーを含む複数のキーが配列される。テンキー型操作受付画面における文字の選択は、押下されたキーと、そのキーが押下された回数とで１文字を選択する。例えば、３つのアルファベット「Ａ」、「Ｂ」、「Ｃ」が割り当てられたキーを１回押下すれば、「Ａ」が選択され、２回押下すれば「Ｂ」が選択され、３回押下すれば「Ｃ」が選択される。
【００４２】
図７は、ＱＷＥＲＴＹ型操作受付画面の一例を示す図である。アルファベットの１文字が割り当てられた複数のキーがＱＷＥＲＴＹ配列されている。ＱＷＥＲＴＹ型操作受付画面は、１つのキーに１つの文字が割り当てられる。このため、１つのキーに複数の文字が割り当てられるテンキー型操作受付画面と比較して、文字を入力する際に、キーを押下する回数を少なくすることができ、文字の入力が容易となる。
【００４３】
＜マルチタスクモード＞
図５に戻って、機能実行部１５１は、実行可能な複数の機能のうち２つの機能を並列で実行することが可能である。例えば、ブラウジング機能と、電子メール作成機能とを同時に実行することができる。これにより、ブラウジング機能が実行されて表示されるＷｅｂページを見ながら、電子メールの本文を編集することができる。以下、機能実行部１５１が２つの機能を並列して実行する場合の機能実行部１５１の動作モードをマルチタスクモードといい、１つの機能を実行する動作モードをシングルタスクモードという。
【００４４】
第１表示制御部１５５は、機能実行部１５１の動作モードがマルチタスクモードの場合、機能実行部１５１が実行する２つの機能のうち第１の機能に対応する第１の種類の第１画面を第１ＬＣＤ１２３に表示するとともに、第１の機能とは別の第２の機能に対応する第１の種類の第１画面を第２ＬＣＤ２０７に表示するために、第１通信制御部１５３に出力する。第１通信制御部１５３は、第１表示制御部１５５から第１画面が入力されると、第１通信部１２１を介して充電台２００に第１画面を送信する。これにより、充電台２００の第２ＬＣＤ２０７に第１画面が表示される。したがって、ユーザは、第１の機能に対応する第１画面と、第２の機能に対応する第１画面とを同時に見ることができる。
【００４５】
また、第１操作受付部１５７は、第１タッチパネル１２５に操作が入力されると、入力される操作を機能実行部１５１に出力し、第１通信制御部１５３は、第１通信部１２１が充電台２００から操作を受信すると、受信された操作を機能実行部１５１に出力する。
【００４６】
機能実行部１５１は、第１操作受付部１５７から入力され、第１タッチパネル１２５に入力された操作に従って、第１の機能を実行する。また、機能実行部１５１は、第１通信制御部１５３から入力され、充電台２００の第２タッチパネル２１１に入力された操作にしたがって、第２の機能を実行する。これにより、ユーザは、第１の機能および第２の機能を実行させるための操作を、区別して入力することができる。
【００４７】
図８は、充電台の機能の概要を示すブロック図である。図８を参照して、充電台２００は、充電台２００の全体を制御するための第２制御部２０１と、第２制御部２０１で実行するプログラムまたはプログラムが参照するデータ等を不揮発的に記憶するためのＥＥＰＲＯＭ２０５と、第２制御部２０１の作業領域として使用されるＲＡＭ２０３と、第２ＬＣＤ２０７と、携帯電話機１００と通信するための第２通信部２０９と、ユーザの操作を受付ける第２タッチパネル２１１と、位置検出センサ２１３Ａ，２１３Ｂ，２１３Ｃ，２１３Ｄと、外部電源と接続される第２受電部２１７と、電力を携帯電話機１００に供給する電力供給部２１５と、を含む。
【００４８】
第２受電部２１７は、外部電源となる商用電源と接続され、交流を直流に変換する。第２受電部２１７は、例えば、ＡＣアダプタである。第２受電部２１７は、商用電源から供給される交流を直流に変換し、電力供給部２１５に出力する。
【００４９】
位置検出センサ２１３Ａ，２１３Ｂ，２１３Ｃ，２１３Ｄは、溝２５１の充電台２００の各辺にそれぞれ対応して設置される。４つの位置検出センサ２１３Ａ，２１３Ｂ，２１３Ｃ，２１３Ｄは、例えば近接スイッチ、圧力スイッチ等であり、携帯電話機１００が充電台２００に接続されると、４辺の溝２５１のうちいずれか１つの辺の溝２５１と携帯電話機１００が係合するが、４つの位置検出センサ２１３Ａ，２１３Ｂ，２１３Ｃ，２１３Ｄのうち携帯電話機１００と係合する溝２５１に設置された１つが、携帯電話機１００と接続されたことを検出する。
【００５０】
電力供給部２１５は、直流を電磁波に変換し、送信する。これにより、携帯電話機１００が充電台２００の近くに存在すれば、携帯電話機１００が備える第１受電部１３９が、電力供給部２１５が送信する電磁波を受信する。
【００５１】
第２通信部２０９は、携帯電話機１００が備える第１通信部１２１と無線で通信する。通信方式は、第１通信部１２１と通信可能な通信方式が用いられる。なお、第２通信部２０９が、第１通信部１２１と有線で通信するようにしてもよい。
【００５２】
第２制御部２０１は、第２通信部２０９を制御するための第２通信制御部２２３と、第２ＬＣＤ２０７の表示を制御するための第２表示制御部２２１と、ユーザによる操作を受け付ける第２操作受付部２２５と、を含む。
【００５３】
第２通信制御部２２３は、第２通信部２０９を制御する。第２通信制御部２２３は、第２通信部２０９が携帯電話機１００の第１通信部１２１と通信可能になり、４つの位置検出センサ２１３Ａ，２１３Ｂ，２１３Ｃ，２１３Ｄと接続され、４つの位置検出センサ２１３Ａ，２１３Ｂ，２１３Ｃ，２１３Ｄのうちから携帯電話機１００を検出したことを示す信号を出力してきたものに対して、予め定められた識別情報を第２通信部２０９を介して携帯電話機１００に送信する。
【００５４】
また、第２通信制御部２２３は、第２通信部２０９が携帯電話機１００の第１通信部１２１と通信可能になり、第１通信部１２１から第１画面または第２画面を受信すると、受信された第１画面または第２画面を第２表示制御部２２１に出力する。第２表示制御部２２１は、第２通信制御部２２３から第１画面または第２画面が入力されると、入力された第１画面または第２画面を第２ＬＣＤ２０７に表示する。
【００５５】
第２操作受付部２２５は、第２タッチパネル２１１と接続され、ユーザが第２タッチパネル２１１に入力する操作を受け付ける。第２操作受付部２２５は、第２タッチパネル２１１に入力されるユーザによる操作を第２通信制御部２２３に出力する。第２通信制御部２２３は、第２操作受付部２２５から入力される操作を第２通信部２０９を介して、携帯電話機１００に送信する。
【００５６】
次に第１〜第３画面について説明する。ここでは、機能実行部１５１が電子メール編集機能を実行する場合を例に説明する。電子メール編集機能に対応して、予め第１画面、第２画面および第３画面が割り当てられている。
【００５７】
図９は、第１画面の一例を示す図である。図９を参照して、電子メール編集機能に対応する第１画面１０は、入力された電子メールの本文を表示する表示領域１１と、文字を入力するための複数のキーが配列されたキー表示領域１３とを含む。キー表示領域１３には、１つのキーに複数のアルファベットが割り当てられた、９つのキーを含む。電子メール編集のための第１画面１０は、表示領域１１と、キー表示領域１３とを含むので、表示領域１１の面積が制限される。
【００５８】
図１０は、第２画面の一例を示す第１の図である。図１０に示す電子メール編集機能に対応する第２画面２０は、第１接続形態または第２接続形態の場合に選択される第２画面である。図１０を参照して、電子メール編集機能に対応する第２画面２０は、全体が入力された電子メールの本文を表示する表示領域を含み、縦長の長方形である。電子メール編集機能に対応する第２画面２０が表示される場合、第３画面は、図６に示したテンキー型操作受付画面または図７に示したアルファベット型操作受付画面のいずれかが選択され、充電台２００の第２ＬＣＤ２０７に表示される。電子メール編集に対応する第２画面２０は、全体に入力された電子メールの本文が表示されるので、本文が長文になる場合であっても、画面をスクロールすることなく、本文を表示することができる。
【００５９】
図１１は、第２画面の一例を示す第２の図である。図１０に示す電子メール編集に対応する第２画面３０は、第３接続形態または第４接続形態の場合に選択される第２画面である。図１１を参照して、電子メール編集に対応する第２画面３０は、全体が入力された電子メールの本文を表示するための表示領域を含み、横長の長方形である。電子メール編集に対応する第２画面３０が表示される場合、第３画面は、図６に示したテンキー型操作受付画面または図７に示したＱＷＥＲＴＹ型操作受付画面が選択され、充電台２００の第２ＬＣＤ２０７に表示される。電子メール編集機能に対応する第２画面３０は、全体に入力された電子メールの本文が横長に表示されるので、本文が長文になる場合であっても、画面をスクロールすることなく、本文を表示することができる。また、図１０に示した第２画面２０と比較して、横長なので、横方向により多くの文字が配列され、電子メールの本文を読みやすく表示することができる。
【００６０】
図１２および図１３は、第１表示処理の流れの一例を示すフローチャートである。第１表示処理は、携帯電話機１００が備える第１制御部１０１が表示プログラムを実行することにより、第１制御部１０１により実行される処理である。
【００６１】
図１２を参照して、第１制御部１０１は、複数の機能のうち実行されている第１実行機能に対応する第１の種類の第１画面を第１ＬＣＤ１２３に表示する（ステップＳ０１）。そして、第１タッチパネル１２５にユーザが操作を入力したか否かを判断する（ステップＳ０２）。ユーザが操作を入力したと判断する場合は処理をステップＳ０３に進め、そうでなければ処理をステップＳ０４に進める。ステップＳ０３においては、ステップＳ０１において第１ＬＣＤ１２３に表示した第１画面を更新し、処理をステップＳ０１に戻す。ステップＳ０２において入力される操作に従って第１実行機能が実行され、実行結果を示す画像で第１画面を更新する。
【００６２】
ステップＳ０４においては、充電台２００と接続されたか否かを判断する。第１通信部１２１が充電台２００と通信可能になったか否かにより、充電台と接続されたか否かを判断する。充電台２００と接続されたならば処理をステップＳ０５に進め、そうでなければ処理をステップＳ０２に戻す。
【００６３】
ステップＳ０５においては、携帯電話機１００の姿勢を検出する。加速度センサ１２９が出力する３軸の加速度に基づいて、携帯電話機１００の姿勢を検出する。そして、第１通信部１２１が充電台２００から接続位置を受信したか否かを判断する（ステップＳ０６）。接続位置を受信するまで待機状態となり（ステップＳ０６でＮＯ）、接続位置を受信したならば（ステップＳ０６でＹＥＳ）、処理をステップＳ０７に進める。
【００６４】
ステップＳ０７においては、接続形態を決定する。携帯電話機１と充電台２００との接続形態が、第１の接続形態〜第４の接続形態のいずれであるかを決定する。ステップＳ０５において検出された携帯電話機１００の姿勢と、ステップＳ０６において受信された接続位置とに基づいて、第１〜第４の接続形態のうちから１つを決定する。
【００６５】
次のステップＳ０８においては、ステップＳ０７において決定された接続形態によって処理を分岐させる。第１接続形態に決定された場合には処理をステップＳ０９に進め、第２接続形態に決定された場合には処理をステップＳ１１に進め、第３接続形態に決定された場合には処理をステップＳ１２に進め、第４接続形態に決定された場合には処理をステップＳ１４に進める。
【００６６】
ステップＳ０９においては、第１実行機能に対応する縦長の第２画面を選択し、処理をステップＳ１０進める。ステップＳ１１においては、第１実行機能に対応する横長の第２画面を選択し、処理をステップＳ１１に進める。ステップＳ１１においては、テンキー型操作受付画面を第３画面として選択し、処理をステップＳ１５に進める。
【００６７】
ステップＳ１２においては、第１実行機能に対応する横長の第２画面を選択し、処理をステップＳ１３に進める。ステップＳ１４においては、第１実行機能に対応する縦長の第２画面を選択し、処理をステップＳ１３に進める。ステップＳ１３においてはＱＷＥＲＴＹ型操作受付画面を第３画面として選択し、処理をステップＳ１５に進める。
【００６８】
ステップＳ１５においては、ステップＳ０９、ステップＳ１１、ステップＳ１２またはステップＳ１４において選択された第２画面を、第１ＬＣＤ１２３に表示する。次のステップＳ１６においては、ステップＳ１０またはステップＳ１３において選択された第３画面を第１通信部１２１を介して充電台２００に送信する。これにより、充電台２００の第２ＬＣＤ２０７に第３画面が表示される。
【００６９】
ステップＳ１７においては、充電台２００から操作を受信したか否かを判断する。第１通信部１２１が充電台２００から操作を受信したならば処理をステップＳ１８に進めるが、そうでなければステップＳ１８をスキップして処理をステップＳ１９に進める。ステップＳ１８においては、第２画面を更新し、更新された第２画面を第１ＬＣＤ１２３に表示し、処理をステップＳ１９に進める。ステップＳ１７において受信される操作に従って第１実行機能が実行され、実行結果を示す画像で第２画面を更新する。
【００７０】
ステップＳ１９においては、充電台２００との接続が切断されたか否かを判断する。第１通信部１２１が充電台２００の第２通信部２０９と通信できなくなると接続が切断されたと判断する。充電台２００との接続が切断されたならば処理をステップＳ０１に戻すが、そうでなければ処理をステップＳに１２進める。
【００７１】
ステップＳ２０においては、マルチタスクモードにより第２の実行機能を実行させるためのマルチタスクモードを起動する指示を受け付けたか否かを判断する。マルチタスクモードを起動する指示を受け付けたならば処理をステップＳ２１に進めるが、そうでなければ処理をステップＳ１７に戻す。
【００７２】
すなわち、充電台２００と切断されるか、またはマルチタスクモードを起動する指示が受け付けられるまで、充電台２００の第２ＬＣＤ２０７に第３画面としてテンキー型操作受付画面またはＱＷＥＲＴＹ型操作受付画面のいずれかが表示され、充電台２００から受信される操作に基づいて第１機能が実行され、第１ＬＣＤ１２３に表示されている第２画面が更新される。
【００７３】
ステップＳ２１においては、第１実行機能に対応する第１の種類の第１画面を第１ＬＣＤ１２３に表示する。そして、ステップＳ２２においては、第２実行機能に対応する第１の種類の第１画面を充電台２００に送信する。
【００７４】
次のステップＳに１３においては、第１タッチパネル１２５に操作が入力されたか否かを判断する。第１タッチパネル１２５に操作が入力されたならば処理をステップＳ２４に進め、そうでなければ処理をステップＳ２６に進める。ステップＳ２４においては、ステップＳ２１において第１ＬＣＤ１２３に表示された第１実行機能に対応する第１画面を更新する。そして、更新された第１画面を第１ＬＣＤ１２３に表示し、処理をステップＳ２６に進める（ステップＳ２５）。
【００７５】
ステップＳに１６においては、第１通信部１２１が充電台２００から操作を受信したか否かを判断する。充電台２００から操作を受信したならば処理をステップＳ２７に進め、そうでなければ処理をステップＳ３０に進める。ステップＳ２７においては、受信された操作か第２実行機能を終了させる指示か否かを判断する。第２実行機能を終了させる指示の操作が受信されたならば処理をステップＳ３１に進めるが、そうでなければ処理をステップＳ２８に進める。ステップＳ３１においては、第２実行機能を終了し処理をステップＳ０１に戻す。処理がステップＳ３１に進む場合、シングルタスクモードになり、第１実行機能のみが実行される。
【００７６】
ステップＳ２８においては、ステップＳ２２において充電台２００に送信した第２実行機能に対応する第１の画面を更新し、処理をステップＳ２９に進める。ステップＳ２９においては、更新した第２実行機能に対応する第１画面を第１通信部１２１を介して充電台２００に送信し、処理をステップＳ３０に進める。
【００７７】
ステップＳ３０においては、充電台２００との接続が切断されたか否かを判断する。充電台２００とのう接続が切断されたならば処理をステップＳ０１戻し、そうでなければ処理をステップＳ２３に戻す。
【００７８】
図１４は、第２表示処理の流れの一例を示すフローチャートである。第２表示処理は、充電台２００が備える第２制御部２０１が第２表示プログラムを実行することにより、第２制御部２０１により実行される処理である。
【００７９】
図１４を参照して、第２制御部２０１は、携帯電話機１００と接続されたか否かを判断する（ステップＳ５１）。４つの位置検出センサ２１３Ａ，２１３Ｂ，２１３Ｃ，２１３Ｄのいずれかが携帯電話機１００を検出したならば、形態電話機と接続されたと判断する。携帯電話機１００と接続されたことが検出されるまで待機状態となり（ステップＳ５１でＮＯ）、携帯電話機１００と接続されたことが検出されたならば処理をステップＳ５２に進める。
【００８０】
ステップＳ５２においては、４つの位置検出センサ２１３Ａ，２１３Ｂ，２１３Ｃ，２１３Ｄのいずれが携帯電話機１００を検出したかに基づいて接続位置を検出する。そして、検出された接続位置を、携帯電話機１００に第２通信部２０９を介して送信する（ステップＳ５３）。ステップＳ５４においては、第２通信部２０９が携帯電話機１００から画面を受信したか否かを判断する。ここで受信される画面は、上述した第１画面および第３画面のいずれかである。ステップＳ５５においては、ステップＳ５４において受信された画面を第２ＬＣＤ２０７に表示し、処理をステップＳ５６に進める。
【００８１】
ステップＳ５６においては、第２タッチパネル２１１に操作が入力されたか否かを判断する。操作が入力されたならば処理をステップＳ５７に進めるが、そうでなければステップＳ５７をスキップして処理をステップＳ５８に進める。ステップＳ５７においては、入力された操作を第２通信部２０９を介して携帯電話機１００に送信し、処理をステップＳ５８に進める。
【００８２】
ステップＳ５８においては、携帯電話機１００との接続が切断されたか否かを判断する。４つの位置検出センサ２１３のいずれもが携帯電話機１００を検出しなくなることにより、接続が切断されたと判断する。携帯電話機１００との接続が切断されたならば処理を終了し、そうでなければ処理をステップＳ５４に戻す。
【００８３】
以上説明したように本実施の形態における携帯電話機の充電システムにおいては、携帯電話機１００と充電台２００とが通信可能に接続されていないときは、携帯電話機１００は実行機能に対応して予め定められた第１の画面を表示し、携帯電話機１００と充電台２００とが通信可能に接続されてるときは、携帯電話機１００は実行機能に対応して予め定められた第２の画面を表示し、受電装置は実行機能に対応して予め定められた第３の画面を表示する。このため、携帯電話機１００がある機能を実行する場合に、携帯電話機１００が充電台２００と通信可能に接続される場合と、充電台２００と通信可能に接続されない場合とで、表示する画面を異ならせることができる。携帯電話機１００が充電台２００と通信可能に接続される場合は、充電台２００と通信可能に接続されない場合よりも画面を表示する面積を大きくすることができる。
【００８４】
また、充電台２００は、ユーザによる第２の操作を受け付けるための第２タッチパネル２１１を備え、第２タッチパネル２１１により第２の操作が受け付けられると、携帯電話機１００によって第２の操作に従って機能が実行される。このため、充電台２００を携帯電話機１００に操作を入力するための装置とすることができる。
【００８５】
また、充電台２００に表示する第３の画面を操作受付画面とするので、種々の操作受付画面を充電台２００に表示させることができ、操作を容易にすることができる。
【００８６】
また、テンキー型操作受付画面およびアルファベット型操作受付画面のうち携帯電話機１００が充電台２００と接続される接続形態に対応して予め定められたものが、充電台２００に表示されるので、接続形態に応じてより操作が容易な操作受付画面を表示することができる。
【００８７】
また、携帯電話機１００が、第１の機能と第２の機能を並列で実行する場合、携帯電話機１００によって第１の機能に対応する画面を表示するとともに操作を受け付け、充電台２００によって第２の機能に対応する画面を表示するとともに操作を受け付ける。このため、携帯電話機１００が２つの機能を並列で実行する場合の操作を容易にすることができる。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８９】
【図１】本発明の実施の形態の一つにおける携帯電話機の充電システムの外観を示す斜視図である。
【図２】携帯電話機と充電台とを第２の接続形態で接続した携帯電話機の充電システムの概観を示す斜視図である。
【図３】携帯電話機と充電台とを第３の接続形態で接続した携帯電話機の充電システムの概観を示す斜視図である。
【図４】携帯電話機と充電台とを第４の接続形態で接続した携帯電話機の充電システムの概観を示す斜視図である。
【図５】携帯電話機の機能の概要を示すブロック図である。
【図６】テンキー型操作受付画面の一例を示す図である。
【図７】ＱＷＥＲＴＹ型操作受付画面の一例を示す図である。
【図８】充電台の機能の概要を示すブロック図である。
【図９】第１画面の一例を示す図である。
【図１０】第２画面の一例を示す第１の図である。
【図１１】第２画面の一例を示す第２の図である。
【図１２】第１表示処理の流れの１例を示す第１のフローチャートである。
【図１３】第１表示処理の流れの１例を示す第２のフローチャートである。
【図１４】第２表示処理の流れの一例を示すフローチャートである。
【符号の説明】
【００９０】
１  充電システム、１００  携帯電話機、１０１  第１制御部、１０３  無線回路、１０３Ａ  アンテナ、１０５  コーデック部、１０７  マイクロホン、１０９  スピーカ、１１１  ＥＥＰＲＯＭ、１１３  ＲＡＭ、１１５  カードＩ／Ｆ、１１７  フラッシュメモリカード、１２１  第１通信部、１２３  第１ＬＣＤ、１２５  第１タッチパネル、１２７  電源キー、１２９  加速度センサ、１３１  電源制御部、１３３  電圧検出部、１３５  二次電池、１３７  充電回路、１３９  第１受電部、１５１  機能実行部、１５３  通信制御部、１５５  表示制御部、１５７  操作受付部、１５９  接続形態検出部、２００  充電台、２０１  第２制御部、２０３  ＲＡＭ、２０５  ＥＥＰＲＯＭ、２０７  第２ＬＣＤ、２０９  第２通信部、２１１  第２タッチパネル、２１３  位置検出センサ、２１５  電力供給部、２１７  受電部、２２１  表示制御部、２２３  通信制御部、２２５  操作受付部、２５１  溝。
【図１】
2010109481.tif 000003
【図２】
2010109481.tif 000004
【図３】
2010109481.tif 000005
【図４】
2010109481.tif 000006
【図５】
2010109481.tif 000007
【図６】
2010109481.tif 000008
【図７】
2010109481.tif 000009
【図８】
2010109481.tif 000010
【図９】
2010109481.tif 000011
【図１０】
2010109481.tif 000012
【図１１】
2010109481.tif 000013
【図１２】
2010109481.tif 000014
【図１３】
2010109481.tif 000015
【図１４】
2010109481.tif 000016